(57)【要約】本発明は、カートリッジ保持デバイスまたは縮減ねじなどの異なる接続システムを設けることのできる、高圧液体クロマトグラフィー用のクロマトグラフィーカラムに関する。本発明のクロマトグラフィーカラムのカラムチューブ（１、１１）は、各端の雄ねじ（４、１８）と、少なくとも１つの溝（３、１４）とを有する。
2004511776.tif 000002
【特許請求の範囲】
【請求項１】
両端にフィルタ要素およびシール要素を有する吸着剤充填カラムチューブからなるクロマトグラフィーカラムであって、カラムチューブの両端に少なくとも１つの溝と雄ねじとが設けられていることを特徴とする、前記クロマトグラフィーカラム。
【請求項２】
カラムチューブがその両端に、雄ねじと、雄ねじに組み込まれた環状溝とを有することを特徴とする、請求項１に記載のクロマトグラフィーカラム。
【請求項３】
カラムカートリッジとして請求項１または２に記載のクロマトグラフィーカラムを含むことを特徴とする、溶媒供給および排出用の接続具付きのカートリッジシステム。
【請求項４】
少なくとも２つの物質のクロマトグラフ分離のための、請求項１または２に記載のクロマトグラフィーカラムの使用。
【発明の詳細な説明】
【０００１】
本発明は、その設計によってカートリッジホルダまたはねじアダプタなどの種々の接続システムを設けることのできる、高圧液体クロマトグラフィー用のクロマトグラフィーカラムに関する。
ＨＰＬＣカラムの接続については２つの異なるシステムが知られている。それは、溶離剤供給および排出への直接接続用のクロマトグラフィーカラム、または交換式カラムカートリッジを備えるカートリッジシステムである。
【０００２】
通常クロマトグラフィーカラムは、溶離剤供給および排出用の接続具（アダプタ）をねじ込むことのできる雄ねじを有する。さらに、シール要素およびフィルタ要素が、ねじアダプタ中に組み込まれることが多い。それに対して、カラムカートリッジは、直接ねじ結合手段を備えていない。カラムカートリッジは、カートリッジホルダで締め付けるか、または独国特許公開第３５１９７２５号またはＧ９００５８９６（実用新案）に記載されているように、取り外し可能なねじ継手が設けられている。カラムカートリッジの利点は、使用済みカラムの交換時に、交換カラムカートリッジを購入することだけでよく、可逆式接続システムまたは締め付けシステムを購入する必要がないことである。一旦、カートリッジシステム全体を購入すると、使用者に必要なのはカラムカートリッジだけである。しかしながら、接続システムまたは締め付けシステムなしでは、カラムカートリッジを使用することができない。接続システムまたは締め付けシステムを持たない使用者は、雄ねじとねじアダプタを備えるクロマトグラフィーカラムを購入しなくてはならない。
【０００３】
一方、クロマトグラフィーカラムの供給業者は、それぞれのシステムに対して対応カラムを提供しなくてはならない。したがって特定の種類の支持材料およびカラム寸法に対して、供給業者は少なくとも２つの製品を提供しなくてはならない。すなわち、直接ねじアダプタ付カラムおよびカートリッジカラムである。これは、生産および充填において不便であると共に、在庫が２倍必要となる。
【０００４】
したがって本発明の目的は、両接続システムにおいて共用可能なクロマトグラフィーカラムを提供することである。
共用可能なクロマトグラフィーカラムは、カートリッジねじ継手の取り付け用溝を有するカートリッジカラムに、追加で雄ねじを設けることによって提供することができることがわかっている。
【０００５】
したがって本発明は、カラムチューブの両端に少なくとも１つの溝と雄ねじを設けることを特徴とする、両端にフィルタ要素およびシール要素を有する吸着剤充填カラムチューブからなるクロマトグラフィーカラムに関する。
好適な実施態様においては，本発明のクロマトグラフィーカラムは、カラムチューブの両端に、雄ねじと、この雄ねじに組み込まれた環状溝とを有する。
【０００６】
本発明はさらに、本発明によるクロマトグラフィーカラムをカラムカートリッジとして含む、溶媒供給および排出用の接続具付のカートリッジシステムに関する。
本発明はさらに、少なくとも２つの物質のクロマトグラフ分離のための、本発明によるクロマトグラフィーカラムの使用に関する。
図は、本発明によるクロマトグラフィーカラムの好適な実施態様を示す。カラムは対称構造を有することが好ましいため、各例についてカラムの一端のみを示してある。
【０００７】
本発明によるクロマトグラフィーカラムは，寸法、形状、材質および充填剤においては公知のクロマトグラフィーカラムと一致する。カラムチューブは通常、吸着剤で充填され、フィルタ要素とシール要素とでシールされている。フィルタ要素およびシール要素は、当業者には公知である。カラムチューブは、好ましくは金属、例えばステンレス鋼からなる。少なくとも１つの溝と雄ねじがカラムチューブ両端の外側に設けられている。この雄ねじは、クロマトグラフィーカラムの直接ねじ接続用のねじに対応している。さらに、少なくとも１つの、好ましくは環状溝がカラムチューブ内の雄ねじ内または、雄ねじ上方もしくは下方に組み込まれている。この溝によって、クロマトグラフィーカラムをカートリッジシステムに一体化することが可能となる。クロマトグラフィーカラムの使用によっては、プレカラムが一体化されるが、このことは雄ねじ付カラムまたはカートリッジシステムについて公知である（例えば、欧州特許第０２６８１８５号）。
【０００８】
好適な実施態様において、クロマトグラフィーカラムは、例えばＭｅｒｃｋ ＫＧａＡ（ドイツ）から購入することのできる、雄ねじ付のＲＴ既成ステンレス鋼カラムに相当する。このカラムチューブの端部には追加で、フィルタ／シール要素を収容するための凹が内側に組み込まれており、端部の外側には、例えばＭｅｒｃｋ ＫＧａＡ市販のｍａｎｕ−ＣＡＲＴ（登録商標）カートリッジシステムなどの欧州特許第０２６８１８５号に対応するカートリッジシステムで使用できるように、環状溝が追加で組み込まれている。
【０００９】
本発明によるクロマトグラフィーカラムは、溶媒供給および排出用接続具が、カラムの端部で溝に挿入されたハーフシェルを介して固定されている、任意のカートリッジシステムにおいて利用可能である。
【００１０】
本発明によるクロマトグラフィーカラムは、顧客および製造業者に対して製品範囲の簡略化をもたらす。本発明によるクロマトグラフィーカラムは、直接接続用のクロマトグラフィーカラムの全利点と、交換式カラムカートリッジを備えるカートリッジシステムの利点とを組み合わせる。使用者は必要に応じて、このクロマトグラフィーカラムを両方のシステムで使用できる。混合接続も可能である。製造業者は、クロマトグラフィーカラムの範囲を半減することができ、これによって物流および在庫コストを削減できる。
【００１１】
図１は、直接ねじアダプタを取り付けたカラム端の断面を示す。シール／フィルタ要素（２）が、カラムチューブ（１）内のチューブ端部の内側に導入されている。環状溝（３）と、溝の上方および下方の雄ねじ（４）とが、カラムチューブ（１）の外側に位置している。溝（３）は、直接ねじアダプタを使用するときには不要である。その代わりに、ユニオンナット（５）が、雄ねじ（４）上にねじ込まれる。ユニオンナットを介して、溶離剤供給および排出の接続用の固定リング（７）を備える圧力ピース（８）が、シール／フィルタ要素（２）上に固定されている。
【００１２】
図２は、カートリッジねじ継手を取り付けたカラム端の断面を示す。シール／フィルタ要素（１７）が、カラムチューブ（１１）の端部内側に導入されている。環状溝（１４）と、溝の上方および下方の雄ねじ（１８）とは、カラムチューブ（１１）の外側に位置している。雄ねじ（１８）は、カートリッジねじ継手を使用する場合には不要である。その代わりとして、この場合には支持ナット（１２）を位置決め保持する２つの半体シェル（１３）が、溝（１４）に押し付けられている。ユニオンナット（１５）が、支持ナット（１２）にねじ込まれ、溶離剤供給および排出の接続用の圧力ピース（１６）をシール／フィルタ要素（１７）上に固定している。
【００１３】
さらなる詳細を示さなくても、当業者であれば上記の説明をその最も広い範囲で利用することができるであろう。好適な実施態様および例は、したがって単に記述による開示であり、決していかなる意味でも本発明を限定するものではない。
上記および下記のすべての出願、特許および刊行物、特に２０００年１２月１０日出願の対応する独国特許出願第１００５０４０２号についての全開示内容を本願に参照として組み入れる。
【図面の簡単な説明】
【図１】直接ねじ継手を取り付けたカラム端の断面を示す。
【図２】カートリッジねじ継手を取り付けたカラム端の断面を示す。
【図１】
2004511776.tif 000003
【図２】
2004511776.tif 000004
【国際公開パンフレット】
2004511776.tif 000005
2004511776.tif 000006
2004511776.tif 000007
2004511776.tif 000008
2004511776.tif 000009
2004511776.tif 000010
2004511776.tif 000011
2004511776.tif 000012
2004511776.tif 000013
2004511776.tif 000014
【国際調査報告】
2004511776.tif 000015
2004511776.tif 000016
2004511776.tif 000017
2004511776.tif 000018